(57)【要約】【課題】乗りかごを出発させる前に、乗りかごの乗客に、次に停止する可能性が高い階を知らせて、安心感を与え、エレベータの利便性を飛躍的に向上させる。【解決手段】乗りかご２を出発させる前、各呼び情報に基づき、制御装置６の計算部１２によって、次回停止予定階を計算させ、次回停止予定階情報を生成させるととともに、案内情報制御装置７の次回停止階表示情報生成部１５、次回停止階聴覚情報生成部１６によって、次回停止予定階表示情報、次回停止予定階聴覚情報を生成させて、乗りかご２に設けられたエレベータ情報表示器１７に、次に停止する可能性が高い階“Ｘ”を表示させるとともに、音声案内器１８から音声で、次に停止する可能性が高い階“Ｘ”を報知させる。【選択図】      図１
2004307124.tif 000002
【特許請求の範囲】
【請求項１】
乗りかごの次回停止階を予測して、乗りかご内に設けられた表示器に表示するエレベータシステムにおいて、
乗りかごを出発させる前あるいは乗りかごを出発させる際、各呼び情報に基づき、次回停止予定階を計算し、次回停止予定階情報を生成する次回停止階計算部と、
この次回停止階計算部から出力される次回停止予定階情報に基づき、前記乗りかごに設けられた表示器、または音声出力器に次回停止予定階を表示、または報知させる次回停止階報知制御部と、
を備えたことを特徴とするエレベータシステム。
【請求項２】
請求項１に記載のエレベータシステムにおいて、
前記次回停止階計算部は、新たなかご呼び情報が入力される毎に、新たな次回停止予定階を計算するとともに、新たな次回停止予定階が所定条件を満たすかどうかを判定し、新たな次回停止階が前記所定条件を満たすとき、次回停止予定階情報を更新する、
ことを特徴とするエレベータシステム。
【請求項３】
請求項２に記載のエレベータシステムにおいて、
前記所定条件として、現在の次回停止予定階に対する減速動作前を行う前に、新たな次回停止予定階が得られるとともに、新たな次回停止予定階が前記乗りかごの走行方向にあり、かつ現在の次回停止予定階より手前にあるという条件を使用する、
ことを特徴とするエレベータシステム。
【請求項４】
請求項２または３に記載のエレベータシステムにおいて、
前記次回停止階計算部は、現在の次回停止予定階に対する減速動作前が行われるとき、現在の次回停止予定階を確定して、次回停止階を示す次回停止階情報を生成し、
前記次回停止階報知制御部は、前記次回停止階計算部から、前記次回停止階情報が出力されたとき、前記情報表示器に表示されている次回停止予定階に代えて、次回停止階を表示させ、または音声出力器から次回停止階を報知させる、
ことを特徴とするエレベータシステム。
【発明の詳細な説明】
【０００１】
【発明の属する技術分野】
本発明は、エレベータの次回停止階情報を表示または報知させるエレベータシステムに係わり、特に乗りかごの走行を開始させるとき、次回停止予定階を表示、または報知させて、エレベータの利便性を飛躍的に向上させるエレベータシステムに関する。
【０００２】
【従来の技術】
エレベータシステムの１つとして、従来、乗りかごを走行させているとき、次に停止させる階を表示させるようにしたものがある。
【０００３】
このようなエレベータシステムでは、各階のホールに設けられた呼び入力装置の操作内容、乗りかごに設けられた呼び入力装置の操作内容、乗りかごの現在位置などに基づき、次回停止階を決めさせて、乗りかごを出発させ、乗りかごが次の停止階に着床するのに必要な減速動作に入ったとき、乗りかご内に設けられた表示器などに次に停止する階を表示させる。
【０００４】
【特許文献１】
特開平７−１８７５３４号公報
【０００５】
【発明が解決しようとする課題】
ところで、このような次回停止階表示機能を持つ、従来のエレベータシステムでは、誤報を防ぐという観点から、乗りかごの次回停止階が確定し、乗りかごが減速動作に入った段階でしか、次回停止階を表示することができないという問題があった。
【０００６】
そこで、このような問題を解決する方法として図６、図７に示すような「エレベーターの運転制御方法」が提案されている。
【０００７】
このエレベーターの運転制御方法は、乗りかご１００が１階に居て、図７に示すかご呼び登録操作盤１０１が操作されて、１１階へのかご呼び“Ｃ１”が発生して、乗りかご１００が出発し、次回停止階として、１１階を案内している状態で、１階〜１１階までの間にある階、例えば７階への呼びが発生して、かご呼び“Ｃ２”が発生したとき、呼び“Ｃ２”の発生時点が乗りかご１００が１階を出発してから所定時間“Ｔ１”が経過するまでの期間中、あるいは乗りかごが次回停止階に到着するまでの到着予測時間“Ｔ２”のいずれかの期間中であるかどうかを判定する。呼び“Ｃ２”の発生時点が所定時間“Ｔ１”、到着予測時間“Ｔ２”のいずれかに入っているとき、呼び“Ｃ２”に起因する停止階の変更を禁止させて、既に決定されている次回停止階の案内を継続させることにより、乗りかごが減速動作に入る前に、次回停止階を表示可能にさせている。
【０００８】
しかしながら、このようなエレベーターの運転制御方法では、乗りかご１００を出発させた後で、呼びが発生しても、これをほとんどキャンセルさせることになることから、呼びに対し、柔軟な対応ができないという問題があった。
【０００９】
本発明は上記の事情に鑑み、乗りかごを出発させる前に次回停止階を予測して、乗りかご内に設けられた情報表示装置に次回停止予定階を表示、あるいは音声で次回停止予定階を報知することができ、これによってエレベータの利便性を飛躍的に向上させることができるエレベータシステムを提供することを主目的としている。
【００１０】
【課題を解決するための手段】
上記の目的を達成するために本発明は、請求項１では、乗りかごの次回停止階を予測して、乗りかご内に設けられた表示器に表示するエレベータシステムにおいて、乗りかごを出発させる前あるいは乗りかごを出発させる際、各呼び情報に基づき、次回停止階計算部によって、次回停止予定階を計算させ、次回停止予定階情報を生成させるとともに、この次回停止予定階情報に基づき、次回停止階報知制御部によって、前記乗りかごに設けられた表示器、または音声出力器に次回停止予定階を表示、または報知させる。これにより、乗りかごを出発させる前に次回停止階を予測させて、乗りかご内に設けられた情報表示装置に次回停止予定階を表示させたり、音声で次回停止予定階を報知させることができ、エレベータの利便性を飛躍的に向上させることができる。
【００１１】
また、請求項２では、請求項１に記載のエレベータシステムにおいて、前記次回停止階計算部によって、新たなかご呼び情報が入力される毎に、新たな次回停止予定階を計算させるとともに、新たな次回停止予定階が所定条件を満たすかどうかを判定させ、新たな次回停止階が前記所定条件を満たすとき、次回停止予定階情報を更新させる。これにより、乗りかごを出発させた後、新たな呼びが発生する毎に、新たな呼びが受け入れ可能かどうかをチェックさせ、受け入れ可能なとき、現在の次回停止予定階を変更させて、乗りかご内に設けられた情報表示装置に表示されている次回停止予定階を更新させたり、音声で新たな次回停止予定階を報知させることができ、エレベータの利便性を飛躍的に向上させることができる。
【００１２】
また、請求項３では、請求項２に記載のエレベータシステムにおいて、前記所定条件として、現在の次回停止予定階に対する減速動作前を行う前に、新たな次回停止予定階が得られるとともに、新たな次回停止予定階が前記乗りかごの走行方向にあり、かつ現在の次回停止予定階より手前にあるという条件を使用させる。これにより、乗りかごを出発させた後、現在の次回停止予定階の減速動作に入る前に、現在の次回停止予定階より、手前の階に対する呼びが出されたとき、現在の停止予定階を変更させて、乗りかご内に設けられた情報表示装置に表示されている次回停止予定階を更新させたり、音声で新たな次回停止予定階を報知させ得るようにして呼びに対する柔軟性を高くさせ、エレベータの利便性を飛躍的に向上させることができる。
【００１３】
また、請求項４では、請求項２または３に記載のエレベータシステムにおいて、現在の次回停止予定階に対する減速動作前が行われるとき、前記次回停止階計算部によって、現在の次回停止予定階を確定させて、次回停止階を示す次回停止階情報を生成させるとともに、前記次回停止階計算部から、前記次回停止階情報が出力されたとき、前記次回停止階報知制御部によって、前記情報表示器に表示されている次回停止予定階に代えて、次回停止階を表示させ、または音声出力器から次回停止階を報知させる。これににより、現在の次回停止予定階の減速動作に入ったとき、現在の次回停止予定階を確定させて、乗りかご内に設けられた情報表示装置に次回停止階を表示させたり、音声で新たな次回停止階を報知させ得るようにして、減速動作に入ったあとの動作を安定させ、乗客に安心感を与えることができる。
【００１４】
【発明の実施の形態】
図１は本発明によるエレベータシステムの一実施形態を示すブロック図である。
【００１５】
この図に示すエレベータシステム１は、乗りかご２の現在位置を検出して、乗りかご位置情報を生成するかご位置検出装置３と、各ホール毎に設けられ、操作内容に応じた呼び情報を生成する複数の呼び入力装置４と、乗りかご２内に設けられ、操作内容に応じた呼び情報を生成する呼び入力装置５と、各呼び入力装置４、５から出力される各呼び情報、かご位置検出装置３から出力される乗りかご位置情報などに基づき、乗りかご２の運転を制御しながら、次回停止予定階情報、次回停止階情報などを生成する制御装置６と、この制御装置６から出力される次回停止予定階情報、次回停止階情報などに基づき、次回停止予定階表示情報、次回停止予定階聴覚情報、次回停止階表示情報、次回停止階聴覚情報などを生成する案内情報制御装置７と、乗りかご２内に設けられ、案内情報制御装置７から出力される次回停止予定階表示情報、次回停止予定階聴覚情報、次回停止階表示情報、次回停止階聴覚情報などに基づき、乗りかご２の乗客に次回停止予定階、次回停止階などを知らせる案内装置８とを備えている。
【００１６】
そして、このエレベータシステム１は、かご位置検出装置３によって、乗りかご２の位置を検知させるとともに、この検知結果、各ホール毎に設けられた呼び入力装置４から出力される各呼び情報、乗りかご２に設けられた呼び入力装置５の出力などに基づき、制御装置６に次回停止階を予測させて、乗りかご２の運転を制御し、案内情報制御装置７に次回停止予定階表示情報、次回停止予定階聴覚情報、次回停止階表示情報、次回停止階聴覚情報などを生成させ、案内装置８によって、乗りかご２の乗客に次回停止予定階、次回停止階などを知らせる。
【００１７】
かご位置検出装置３は、乗りかご２を走行させるモータなどの回転速度に応じた速度でパルス信号を生成するパルス発生器、このパルス発生器から出力されるパルス信号をカウントして、乗りかごの位置を示すカウント値（乗りかご位置情報）を生成するパルスカウンタなどを備えている。そして、乗りかご２を走行させているモータ、プーリなどの回転速度、ワイヤなどの走行速度などを検出して、乗りかごの位置を示す乗りかご位置情報を生成し、これを制御装置６に供給する。
【００１８】
また、各呼び入力装置４は、各ホールの壁などに取り付けられたスイッチなどによって構成されており、エレベータ利用者などによって各スイッチが操作されたとき、操作内容に応じた呼び情報を生成し、これを制御装置６に供給する。
【００１９】
また、呼び入力装置５は、乗りかご２の内壁などに取り付けられる多数のスイッチなどによって構成されており、乗りかご２の乗客によって、各スイッチが操作されたとき、操作内容に応じた呼び情報を生成し、これを制御装置６に供給する。
【００２０】
制御装置６は、呼び入力装置５から出力される呼び情報を取り込むかご呼び情報入力部９と、各呼び入力装置４から出力される各呼び情報を取り込むホール呼び情報入力部１０と、かご位置検出装置３から出力される乗りかご位置情報を取り込むかご位置情報入力部１１と、これらかご呼び情報入力部９、ホール呼び情報入力部１０、かご位置情報入力部１１に各々、取り込まれた各呼び情報、乗りかご位置情報に基づき、次回停止階を予測して、次回停止予定階情報、次回停止階情報などを生成する計算部１２と、この計算部１２から出力される次回停止予定階情報と予め登録されている運転パターンとに基づき、各モータなどを駆動して、乗りかご２の運転を制御する運転制御部１３と、計算部１２から出力される次回停止予定階情報、次回停止階情報などを取り込んで、案内情報制御装置７に供給する次回停止情報出力部１４とを備えている。
【００２１】
そして、制御部６は、呼び入力装置５から出力される各呼び情報、各呼び入力装置４から出力される各呼び情報、かご位置検出装置３から出力される乗りかご位置情報に基づき、次回停止予定階を計算し、この計算結果に基づき、次回停止予定階情報を生成し、この次回停止予定階情報に基づき、乗りかご２の運転を制御しながら、次回停止予定階情報を案内情報制御装置に供給する。この後、各呼び入力装置４から新たな呼び情報が出力される毎に、これを取り込みながら、新たな次回停止予定階を計算し、これが所定の条件を満たすとき、例えば新たな次回停止予定階が現在の次回停止予定階より、手前にあり、かつ図２に示すように、現在の次回停止予定階に対する減速動作期間“Ｂ−Ｃ”より手前で新たな次回停止予定階が得られたとき、新たな次回停止予定階を示す次回停止予定階情報に基づき、乗りかご２の運転内容を変更するとともに、案内情報制御装置７に供給している次回停止階予定情報を更新し、それ以外のとき、新たな次回停止予定階情報を廃棄させて、現時点での運転内容、次回停止予定階情報を維持する。そして、現在の次回停止予定階に対する減速動作期間“Ｂ−Ｃ”に入ったとき、現在の次回停止予定階を確定させて、次回停止階情報を生成させ、これを案内情報制御装置７に供給する。
【００２２】
案内情報制御装置７は、制御装置６から出力される次回停止予定階情報、次回停止階情報に基づき、次回停止予定階、次回停止階などを示す次回停止予定階表示情報、次回停止階表示情報を生成する次回停止階表示情報生成部１５と、制御装置６から出力される次回停止予定階情報、次回停止階情報に基づき、次回停止予定階、次回停止階などを示す音声データを含む次回停止予定階聴覚情報、次回停止階聴覚情報を生成する次回停止階聴覚情報生成部１６とを備えている。そして、この案内情報制御装置７は、制御装置６から次回停止予定階情報が出力されたとき、この次回停止予定階情報に基づき、次回停止予定階表示情報、次回停止予定階聴覚情報を生成して、これらを案内装置８に供給し、また制御装置６から次回停止階情報が出力されたとき、この次回停止階情報に基づき、次回停止階表示情報、次回停止階聴覚情報を生成して、これらを案内装置８に供給する。
【００２３】
案内装置８は、乗りかご２内に設けられたＬＥＤ表示器、ＬＣＤ表示器などによって構成され、案内情報制御装置７から出力される次回停止予定階表示情報、次回停止階表示情報を受けて、乗りかご２内の乗客に次回停止予定階、次回停止階などを表示するエレベータ情報表示器１７と、乗りかご２内に設けられたスピーカ、チャイムなどによって構成され、案内情報制御装置７から出力される次回停止予定階聴覚情報、次回停止階聴覚情報を受けて、音声、またはチャイム音で、乗りかご２内の乗客に次回停止予定階、次回停止階などを知らせる音声案内器１８とを備えている。そして、この案内装置８は、案内情報制御装置７から出力される次回停止予定階表示情報、次回停止階表示情報、次回停止予定階聴覚情報、次回停止階聴覚情報などを受けて、視覚、音声またはチャイム音などで、乗りかご２内の乗客に次回停止予定階、次回停止予定階の変更、次回停止階などを知らせる。
【００２４】
次に、図１に示すブロック図、図２に示す模式図、図３、図４、図５に示す各フローチャートを参照しながら、エレベータシステム１の動作を説明する。
【００２５】
まず、図３のフローチャートに示すように、各ホールに設けられた各呼び入力装置４のいずれか、あるいは乗りかご２に設けられた呼び入力装置５が操作されて、各呼び入力装置４、５から呼び情報が出力され、制御装置６のかご呼び情報入力部９、ホール呼び情報入力部１０のいずれかによって、これが取り込まれる（ステップＳＴ１）。計算部１２では、かご位置情報入力部１１に入力されているかご位置検出装置３の出力、予め設定されている予測計算式などが使用されて、各呼び情報に対応する各停止階のうち、最も最適な停止階、例えば乗りかご２の現在位置から最も近い停止階が選択されて、次回停止予定階“Ｘ”が決められ、この次回停止予定階“Ｘ”を含む次回停止予定階情報が生成されるとともに、次回停止階情報出力部１４によって、計算部１２から出力される次回停止予定階情報が取り込まれ、案内情報制御装置７に供給される（ステップＳＴ２）。
【００２６】
これにより、案内情報制御装置７の次回停止階表示情報生成部１５、次回停止階聴覚情報生成部１６によって、次回停止階情報出力部１４から出力される次回停止予定階情報に対応した次回停止予定階“Ｘ”を含む次回停止予定階表示情報、次回停止予定階聴覚情報が生成され、乗りかご２に設けられたエレベータ情報表示器１７に、次回停止予定階“Ｘ”が表示され、次に停止する可能性が高い階“Ｘ”が知らされるとともに（ステップＳＴ３）、音声案内器１８から音声で、次に停止する可能性が高い階“Ｘ”が報知される（ステップＳＴ４）。
【００２７】
また、この動作と並行し、計算部１２から出力される次回停止階情報に基づき、運転制御部１３によって、システム各部に設けられた各モータが制御されて、乗りかご２の走行が開始される（ステップＳＴ５）。
【００２８】
次いで、乗りかご２が次回停止予定階“Ｘ”に対する減速動作に入る前に、図４のフローチャートに示すように、各ホールに設けられた各呼び入力装置４のいずれか、あるいは乗りかご２に設けられた呼び入力装置５が操作されて、これら各呼び入力装置４、５から新たな呼び情報が出力され、制御装置６のホール呼び情報入力部９、かご呼び情報入力部１０のいずれかによって、これが取り込まれると（ステップＳＴ１１）、計算部１２によって、新たな呼び情報に対応する次回停止予定階“Ｙ”が求められるとともに（ステップＳＴ１２）、今回の次回停止予定階計算動作で得られた新たな次回停止予定階“Ｙ”と、現在の次回停止予定階“Ｘ”とが比較され、乗りかごの走行方向に対し、新たな次回停止予定階“Ｙ”が現在の次回停止予定階“Ｘ”より先にあれば、現在の次回停止予定階“Ｘ”が保持され、また新たな次回停止予定階“Ｙ”が現在の次回停止予定階“Ｘ”より手前側にあれば、次回停止予定階“Ｘ”が破棄されて、次回停止予定階“Ｙ”が選択されるとともに、次回停止階情報出力部１４によって、計算部１２から出力される新たな次回停止予定階情報（次回停止予定階“Ｙ”を示す情報）が取り込まれて、案内情報制御装置７に供給される（ステップＳＴ１３）。
【００２９】
これにより、案内情報制御装置７の次回停止階表示情報生成部１５、次回停止階聴覚情報生成部１６によって、次回停止階情報出力部１４から出力される次回停止予定階情報に対応した次回停止予定階“Ｙ”を含む次回停止予定階表示情報、次回停止予定階聴覚情報が生成され、乗りかご２に設けられたエレベータ情報表示器１７に表示されていた次回停止予定階“Ｘ”が消去されて、新たな次回停止予定階“Ｙ”が表示されるとともに（ステップＳＴ１４）、音声案内器１８からチャイム音が出された後（ステップＳＴ１５）、音声で、次回停止予定階が変更され、次回停止予定階“Ｙ”にされたことが報知される（ステップＳＴ１６）。
【００３０】
そして、この計算部１２から出力される新たな次回停止予定階情報（次回停止予定階“Ｙ”を示す情報）に基づき、運転制御部１３によって、システム各部に設けられた各モータが制御されて、乗りかご２の次回停止階が変更される。
【００３１】
次いで、図５のフローチャートに示すように、乗りかご２が次回停止予定階“Ｘ”（または、次回停止予定階“Ｙ”）に対する減速動作パターンに入ると（ステップＳＴ２１）、計算部１２によって、次回停止予定階が確定処理されて、次回停止階情報出力部１４から次回停止階“Ｘ”（または、次回停止階“Ｙ”）を含む次回停止階情報が出力される（ステップＳＴ２２）。
【００３２】
これにより、案内情報制御装置７の次回停止階表示情報生成部１５、次回停止階聴覚情報生成部１６によって、次回停止階情報出力部１４から出力される次回停止階情報に対応した次回停止階“Ｘ”（または、次回停止階“Ｙ”）を含む次回停止階表示情報、次回停止階聴覚情報が生成され、乗りかご２に設けられたエレベータ情報表示器１７に表示されていた次回停止予定階“Ｘ”（または、次回停止予定階“Ｙ”）などが消去されて、次回停止階“Ｘ”（または、次回停止階“Ｙ”）が表示されるとともに（ステップＳＴ２３）、音声案内器１８からチャイム音が出された後（ステップＳＴ２４）、音声で、次回停止階“Ｘ”（または、次回停止階“Ｙ”）次回停止階“Ｙ”が報知される（ステップＳＴ２５）。
【００３３】
また、この動作と並行し、運転制御部１３によって、システム各部に設けられた各モータが制御されて、乗りかご２の減速動作が開始される。
【００３４】
このように、このエレベータシステム１では、乗りかご２を出発させる前、各呼び情報に基づき、制御装置６の計算部１２によって、次回停止予定階を計算させ、次回停止予定階情報を生成させるととともに、案内情報制御装置７の次回停止階表示情報生成部１５、次回停止階聴覚情報生成部１６によって、次回停止予定階表示情報、次回停止予定階聴覚情報を生成させて、乗りかご２に設けられたエレベータ情報表示器１７に、次に停止する可能性が高い階“Ｘ”を表示させるとともに、音声案内器１８から音声で、次に停止する可能性が高い階“Ｘ”を報知させるようにした。
【００３５】
このため、乗りかご２を出発させる前に、乗りかご２の乗客に、次に停止する可能性が高い階を知らせて、安心感を与え、エレベータの利便性を飛躍的に向上させることができる。
【００３６】
また、このエレベータシステム１では、乗りかご２を出発させた後でも、乗りかご２が着床に必要な減速動作を開始する前であれば、制御装置６の計算部１２によって、新たな呼びを受け付けさせて、新たな次回停止予定階を計算させ、これが所定条件を満たしているとき、新たな次回停止予定階情報を生成させるととともに、案内情報制御装置７の次回停止階表示情報生成部１５、次回停止階聴覚情報生成部１６によって、新たな次回停止予定階表示情報、新たな次回停止予定階聴覚情報を生成させて、乗りかご２に設けられたエレベータ情報表示器１７に、次に停止する可能性が高い階“Ｙ”を表示させるとともに、音声案内器１８から音声で、次に停止する可能性が高い階“Ｙ”を報知させるようにした。
【００３７】
このため、乗りかご２を出発させた後でも、新たな呼びが発生する毎に、新たな呼びが受け入れ可能かどうかをチェックさせ、受け入れ可能なとき、現在の次回停止予定階を変更させて、乗りかご２内に設けられたエレベータ情報表示器１７に表示されている次回停止予定階を更新させたり、音声案内器１８から、音声で新たな次回停止予定階を報知させたりすることができ、これによってエレベータの利便性を飛躍的に向上させることができる。
【００３８】
また、このエレベータシステム１では、乗りかご２を出発させた後、新たな呼びが発生したとき、制御装置６の計算部１２によって、新たな次回停止予定階“Ｙ”を計算させるとともに、今、現在の次回停止予定階“Ｘ”に対する減速動作前を行う前かどうか、新たな次回停止予定階“Ｙ”が前記乗りかごの走行方向にあり、かつ現在の次回停止予定階“Ｘ”より手前にあるかどうかを判定させ、これら条件が満たされているとき、現在の次回停止予定階“Ｘ”を廃棄させて、新たな次回停止予定階“Ｙ”を採用させるようにした。
【００３９】
このため、乗りかご２を出発させた後、現在の次回停止予定階“Ｘ”の減速動作に入る前に、現在の次回停止予定階“Ｘ”より、手前の階“Ｙ”に対する呼びが出されたとき、現在の停止予定階を変更させて、乗りかご２内に設けられたエレベータ情報表示器１７に表示されている次回停止予定階を更新させたり、音声案内器１８から、音声で新たな次回停止予定階を報知させたりすることができ、これによって呼びに対する柔軟性を高くつつ、エレベータの利便性を飛躍的に向上させることができる。
【００４０】
また、このエレベータシステム１では、現在の次回停止予定階“Ｘ”（または、次回停止予定階“Ｙ”）に対する減速動作前が行われるとき、計算部１２によって、現在の次回停止予定階“Ｘ”（または、次回停止予定階“Ｙ”）を確定処理させ、次回停止階“Ｘ”（または、次回停止階“Ｙ”）を示す次回停止階情報を生成させるとともに、案内情報制御装置７の次回停止階表示情報生成部１５、次回停止階聴覚情報生成部１６によって、次回停止階表示情報、次回停止階聴覚情報を生成させて、乗りかご２に設けられたエレベータ情報表示器１７に、次に停止する階“Ｘ”を表示させるとともに、音声案内器１８から、音声で、次に停止する階“Ｘ”を報知させるようにした。
【００４１】
このため、減速動作に入ったあとの動作を安定させて、乗客に安心感を与えさせることができる。
【００４２】
【発明の効果】
以上説明したように本発明によれば、請求項１のエレベータシステムでは、乗りかごを出発させる前に次回停止階を予測させて、乗りかご内に設けられた情報表示装置に次回停止予定階を表示させたり、音声で次回停止予定階を報知させたりすることができ、これによってエレベータの利便性を飛躍的に向上させることができる。
【００４３】
また、請求項２のエレベータシステムでは、乗りかごを出発させた後、新たな呼びが発生する毎に、新たな呼びが受け入れ可能かどうかをチェックさせ、受け入れ可能なとき、現在の次回停止予定階を変更させて、乗りかご内に設けられた情報表示装置に表示されている次回停止予定階を更新させたり、音声で新たな次回停止予定階を報知させたりすることができ、これによってエレベータの利便性を飛躍的に向上させることができる。
【００４４】
また、請求項３のエレベータシステムでは、乗りかごを出発させた後、現在の次回停止予定階の減速動作に入る前に、現在の次回停止予定階より、手前の階に対する呼びが出されたとき、現在の停止予定階を変更させて、乗りかご内に設けられた情報表示装置に表示されている次回停止予定階を更新させたり、音声で新たな次回停止予定階を報知させたりすることができ、これによって呼びに対する柔軟性を高くさせつつ、エレベータの利便性を飛躍的に向上させることができる。
【００４５】
また、請求項４のエレベータシステムでは、現在の次回停止予定階の減速動作に入ったとき、現在の次回停止予定階を確定させて、乗りかご内に設けられた情報表示装置に次回停止階を表示させたり、音声で新たな次回停止階を報知させたりすることができ、これによって減速動作に入ったあとの動作を安定させて、乗客に安心感を与えさせることができる。
【図面の簡単な説明】
【図１】本発明によるエレベータシステムの一実施形態を示すブロック図である。
【図２】図１に示すエレベータシステムにおける乗りかご運転パターン例を示す模式図である。
【図３】図１に示すエレベータシステムの次回停止予定階計算動作例、次回停止予定階報知動作例を示すフローチャートである。
【図４】図１に示すエレベータシステムの次回停止予定階変更動作例を示すフローチャートである。
【図５】図１に示すエレベータシステムの次回停止階決定動作例、次回停止階報知動作例を示すフローチャートである。
【図６】従来から知られている「エレベーターの運転制御方法」の動作例を示す模式的に示す説明図である。
【図７】図６に示す「エレベーターの運転制御方法」で使用される乗りかご内部例を示す立面図である。
【符号の説明】
１：エレベータシステム
２：乗りかご
３：かご位置検出装置
４、５：呼び入力装置
６：制御装置
７：案内情報制御装置
８：案内装置
９：かご呼び情報入力部
１０：ホール呼び情報入力部
１１：かご位置情報入力部
１２：計算部
１３：運転制御部
１４：次回停止情報出力部
１５：次回停止階表示情報生成部
１６：次回停止階聴覚情報生成部
１７：エレベータ情報表示器
１８：音声案内器
【図１】
2004307124.tif 000003
【図２】
2004307124.tif 000004
【図３】
2004307124.tif 000005
【図４】
2004307124.tif 000006
【図５】
2004307124.tif 000007
【図６】
2004307124.tif 000008
【図７】
2004307124.tif 000009